(57)【特許請求の範囲】
【請求項１】
外周部と前記外周部の内側に設けられた板状の押え部とを有し、前記外周部と前記押え部との間の切込み部をＵ字形状としたしゃもじ受け具。
【請求項２】
外周部の面に対して垂直方向にＬ字形状の凸部を設けてなる請求項１記載のしゃもじ受け具。
【請求項３】
把手部と、前記把手部より幅広のヘラ部を有したしゃもじに対し、前記把手部を切込み部に挿入して固定した時、外周部の押え部根元側先端が、しゃもじの重心よりヘラ部側に位置してなる請求項１または２記載のしゃもじ受け具。
【請求項４】
押え部は、押え部先端を、ヘラ部と把手部を有したしゃもじの把手部表面の凹凸部に押し当てるように構成した請求項１〜３のいずれか１項記載のしゃもじ受け具。
【請求項５】
外周部の切込み部奥側に、球面状の凹部を設けた請求項１〜４のいずれか１項に記載のしゃもじ受け具。
【発明の詳細な説明】
【０００１】
【発明の属する技術分野】
本発明は、家庭で使用するしゃもじ受け具に関する。
【０００２】
【従来の技術】
近年、一般的に普及しているしゃもじは、図６に示すように、ヘラ部２０と把手部２１とで構成していた。
【０００３】
このようなしゃもじは、使用した後の置き方として、しゃもじを直接テーブル等の上に置くと、ご飯粒がテーブル上に付着するなど不衛生のため、茶碗等の容器に入れたり、専用の置き台の上に置いたり、炊飯器に付随した収納場所に入れたりなどの方法が取られてきた。
【０００４】
【発明が解決しようとする課題】
しかしながら、上述の置き方をするためには、しゃもじとは別に、置くための物を別途用意する必要があり、洗う物が増えて手入れが面倒であったり、余分なスペースを必要としたり、炊飯器の外観を損ねるなどの問題があった。
【０００５】
本発明は上記課題を解決するもので、しゃもじに自由に着脱でき、しゃもじに装着した時はしゃもじをそのままテーブル上に置くことができるようにし、使い勝手を向上することを目的としている。
【０００６】
【課題を解決するための手段】
本発明は上記目的を達成するために、外周部と前記外周部の内側に設けられた板状の押え部とを有し、前記外周部と前記押え部との間の切込み部をＵ字形状としたものである。
【０００７】
これにより、切込み部にしゃもじの把手部を通して装着し、しゃもじをそのままテーブル上に置くことができ、使い勝手を向上することができる。
【０００８】
【発明の実施の形態】
本発明の請求項１に記載の発明は、外周部と前記外周部の内側に設けられた板状の押え部とを有し、前記外周部と前記押え部との間の切込み部をＵ字形状としたものであり、切込み部の中にしゃもじの把手部を差し込んで、テーブル上に置くことができる。
【０００９】
請求項２に記載の発明は、上記請求項１に記載の発明において、外周部の面に対して垂直方向にＬ字形状の凸部を設けてたものであり、炊飯器のハンドル部や、棚の端などの引っ掛け部に簡単に引っ掛けることができる。
【００１０】
請求項３に記載の発明は、上記請求項１または２に記載の発明において、把手部と、前記把手部より幅広のヘラ部を有したしゃもじに対し、前記把手部を切込み部に挿入して固定した時、外周部の押え部根元側先端が、しゃもじの重心よりヘラ部側に位置させた構成にしたものであり、しゃもじをテーブル上に置く時に、ヘラ部を浮かせた状態で置くことができ、ヘラ部を汚さずに清潔に保つことができる。
【００１１】
請求項４記載の発明は、上記請求項１〜３に記載の発明において、押え部は、押え部の先端を、ヘラ部と把手部を有したしゃもじの把手部表面の凹凸部に押し当てるように構成したものであり、押え部の先端を仮固定させるので、しゃもじに装着した時にしゃもじ受けを適切な位置に固定し、また、簡単に取り外すことが可能となる。
【００１２】
請求項５記載の発明は、上記請求項１〜４に記載の発明において、外周部の切込み部奥側に球面状の凹部を設けたものであり、しゃもじ受けを着脱する時に指の当りを良好にすることができる。
【００１３】
【実施例】
本発明の実施例について、図面を参照しながら説明する。
【００１４】
（実施例１）
図１は、しゃもじ受けの構成及びしゃもじ受けにしゃもじをセットする時の状態を示す図である。図１において、全体がやや厚めの板状になっている外周部１の内側には穴が空いており、この穴の片端から押え部２が出ている。この押え部２は、しゃもじを差し込まない単体の状態では外周部１とおよそ平行に伸びた板状のものになっている。
【００１５】
また、押え部２は、ポリプロピレン等の弾力性のある樹脂か、固めのゴム材料で成形されていて、弾力性を持たせるようになっており、押さえると曲がるように出来ている。これらの構成より、外周部１と押え部２との間は、Ｕ字形状の切込み部３を形成することになる。
【００１６】
上記しゃもじ受けにおいて、しゃもじにセットする時の状態を説明する。まず、しゃもじであるが、ヘラ部４と把手部５とで構成された一般的な形状のしゃもじにおいて、図１に示す方向に把手部５をしゃもじ受けの押え部２に当て押さえつけながら押え部２を変形させながら切込み部３に差し込んでいく。この時、押え部２は把手部５によって変形させられたままのため、弾力性によってしゃもじ受け外周部１との間に押さえつけ、そのまましゃもじの把手部５に固定される。
【００１７】
この状態で、しゃもじを使う時と、置く時の状態を図２より説明する。図２はしゃもじ受けをセットし、テーブル上に置いた様子を横方向から見た図である。図２において、しゃもじ受けは、外周部１と押え部２でしゃもじの把手部５を挟んだ状態で、しゃもじのヘラ部４方向にしゃもじ受けの外周部１が突き出す格好になっており、この外周部１先端がしゃもじ全体の重心よりヘラ部４側に来ている。従って、このしゃもじをテーブル上に置くと、しゃもじ受けの外周部１としゃもじの把手部５との２点だけで支えられた状態で置くことが出来、ヘラ部４を浮かせておくことが出来る。しゃもじを使う時は、このまま使うか、しゃもじ受けを外して使えば良い。
【００１８】
なお、本実施例では、切込み部３をＵ字形状と説明したが、コの字形状等、しゃもじの形状に合わせて自在に形状設定すれば良いことは言うまでもない。
【００１９】
また、外周部１が大きくたわんでしまうと、しゃもじ受け全体の形状が原形と大きく変わってくるため、しゃもじ受けが所定の役割が果たせなくなる可能性が発生する。したがって、外周部１は厚みを増して容易に変形しなくするか、別の材質で構成するようにしたほうが良い。
【００２０】
また、しゃもじの裏表は、自在に設定すれば良い。
【００２１】
（実施例２）
図３ａは、しゃもじ受け単体を側面方向から見た図である。ここで、外周部１を一つの面に見立てると、押え部２の根元、つまり外周部１と押え部２との境界付近に、この外周部１の面に対して垂直方向に凸部６が飛び出しており、先端部７が押え部２先端方向に向けて曲がっている。これら凸部６と先端部７を合わせると、側面から見てＬ字型形状のものが出ている格好となる。
【００２２】
ここで、このしゃもじ受けを使用する時の状態を図３ｂより説明する。まず、しゃもじ受けを実施例１のようにしゃもじのヘラ部５に差し込んでおく。この状態で、図３ｂのように炊飯器本体８側面部から装着されているハンドル９に、先端部７を差し込む。つまり、しゃもじの把手部５と、しゃもじ受けの凸部先端部７との間にハンドル９を挟み込んで炊飯器側面部に取り付けるものである。
【００２３】
また、炊飯器のハンドルに限らず、例えばテーブルの端など先端部７が引っかかる形状の場所であれば、どこにでも引っ掛けておくことができる。
【００２４】
（実施例３）
図２に示すように、外周部１の押え部２根元側先端は、しゃもじのヘラ部４側に向けて伸びている。しゃもじ受けは、しゃもじのおよそヘラ部４と把手部５との境界付近に固定して使うことになるが、外周部１がヘラ部４側に伸びることで、この先端部がしゃもじの重心よりヘラ部４側に来て、テーブルに置いた時に一方がしゃもじの把手部５先端、もう一方がこの伸びた外周部とで支える形となる。しゃもじのヘラ部４には、使用した時のご飯粒が残っていたり、逆にテーブル上の汚れをつけて使用すると、衛生上良くない。ヘラ部を浮かせて置くことが出来れば、そのような心配が無くなる。
【００２５】
（実施例４）
図４は、しゃもじ受けをしゃもじにセットした時の状態を側面方向より断面した部分拡大図である。図４より、しゃもじ受けの押え部２で、先端部分の先に注目してみると、しゃもじ側には断面形状が半円状の第一の凸１０が出ている。しゃもじ受けの押え部２は、この第一の凸１０に当接し、図に示す所定の位置に固定された状態となる。固定されないと、しゃもじ受けの位置によってテーブル上に置いてもしゃもじのヘラ部が浮き上がらない、あるいは炊飯器のハンドル等に引っかけてもバランスが取れずにうまく固定できない等、しゃもじ受けとしての機能を果たさないので、このようにしゃもじ受けとしての機能を果たす最も適切な位置に仮固定させる。
【００２６】
ところで、本実施例で説明している位置にしゃもじ受けをセットしたままだと、ご飯の量が多いものをほぐしたい時、しゃもじ受けがご飯にくっつく等、かえって不便になる場合が生じてくる。このとき、ご飯をほぐすのに邪魔にならない所までスライドし、仮固定が出来れば、わざわざしゃもじ受けを都度着脱する必要が無い。そこで、第一の凸１０より把手部５寄りに第二の凸１１を設け、ここでも仮固定が出来るようにする。この第二の凸１１で固定したままでしゃもじを使うと、ご飯がしゃもじ受けに付くことも無く、邪魔にはならない。
【００２７】
なお、本実施例では、固定部形状を凸形状で説明したが、他にも凹形状等、しゃもじの表面に凹凸が有れば、当然同様の効果が得られる。
【００２８】
（実施例５）
図５ａは、しゃもじ受け形状を示す図、図５ｂは、使用前後にしゃもじを持って、しゃもじ受けを指でスライドさせるときの状態を示す図である。図５ａより、しゃもじ受けの外周部１表面にには、凹部１２を設けてある。この凹部１２は半径２０ｍｍ程度の球面の一部形状のような形をしたものであり、およそ親指の表面形状に合わせた物である。ここで、このしゃもじ受けをしゃもじにセットした状態で手に持ち、第４の実施例のようにしゃもじ受けをスライドさせる時の状態を図５ｂより説明する。つまり、使用時の目的に応じてしゃもじ受けをスライドさせたい時、図５ｂに示すように親指を凹部１２に乗せ、前後に押す。凹部１２の球面形状と、親指の形状がほぼ一致し、しゃもじ受けをいずれの方向にスライドさせる時も指の力がしゃもじ受けに伝わり、片手だけで容易にスライドさせたり、着脱させるようになる。
【００２９】
【発明の効果】
以上のように、請求項１に記載の発明によれば、しゃもじ受けをしゃもじに差し込み、そのまま使うこともテーブル上に直接置くことも出来、特に他のしゃもじ置くための場所や部品を準備する必要がない。
【００３０】
また、請求項２に記載の発明によればそのまま炊飯器のハンドル部や、テーブルの端などに引っ掛けて置いておくこともできる。
【００３１】
また、請求項３に記載の発明によれば、しゃもじのヘラ部を浮かせたままテーブル上に置くことで清潔な状態を保つしゃもじ受けを得ることができる。
【００３２】
また、請求項４に記載の発明によれば、しゃもじ受けを自在に動かして、所定の位置に固定し、しゃもじを使う時と使った後との使い分けを自由にすることができる。
【００３３】
また、請求項５に記載の発明によれば、しゃもじ受けの着脱時に指一本で簡単に、手触り良く行なうことができる。
【図面の簡単な説明】
【図１】本発明の第１の実施例を示すしゃもじ受け具と、しゃもじを示す図
【図２】同しゃもじを卓上に置いた状態を示す図
【図３】（ａ）本発明の第２の実施例を示すしゃもじ受け具を、側面から見た図
（ｂ）同しゃもじを炊飯器のハンドル部に引っ掛けた状態を示す図
【図４】本発明の第４の実施例を示すしゃもじ受け具をセットした状態を示す部分拡大図
【図５】（ａ）本発明の第５の実施例を示すしゃもじ受け具を示す図
（ｂ）同しゃもじの使用状態を表す部分拡大図
【図６】従来の実施例を示すしゃもじの側面図
【符号の説明】
１    外周部
２    押え部
３    切込み部
４    ヘラ部
５    把手部
６    凸部
１０  第一の凸
１１  第二の凸
１２  凹部
【図１】
0003922083.tif 000002
【図２】
0003922083.tif 000003
【図３】
0003922083.tif 000004
【図４】
0003922083.tif 000005
【図５】
0003922083.tif 000006
【図６】
0003922083.tif 000007